(57)【要約】      （修正有）【課題】浮きを回収する際に複数の棒状体が開きすぎないように防止し、浮き回収の確実性を向上する浮き回収器を提供する。【解決手段】基部１１と、基部を中心として放射状に広がるように固定される複数の棒状体１２と、基部から棒状体が広がる方向へ延設されるシャフト部１３とを備え、シャフト部における基部とは反対端に釣糸係止部１４を備える。また複数の棒状体の周囲に配置し、かつ、棒状体またはシャフト部のいずれか一方もしくは双方へ固定したリング部材２０を備え、リング部材を棒状体の長手方向に向けて移動可能とした。【選択図】図１
0003195912.tif 000002
【実用新案登録請求の範囲】
【請求項１】
基部と、その基部を中心として放射状に広がるように固定される複数の棒状体と、前記の基部から前記の棒状体が広がる方向へ延設されるシャフト部とを備え、そのシャフト部における前記の基部とは反対端へ釣糸係止部を有する浮き回収器であって、
前記の複数の棒状体における周囲へ配置し、かつ、前記の複数の棒状体または前記のシャフト部のいずれか一方もしくは双方へ固定したリング部材を備え、
前記の各棒状体に対するリング部材の固定位置は、棒状体の長手方向に向けて移動可能である浮き回収器。
【請求項２】
前記のリング部材は、前記の複数の棒状体のうちの２本以上に固定するための各棒状体を挿入して固定可能なリング固定用孔部を形成した請求項１に記載の浮き回収器。
【請求項３】
前記のリング部材は、弾性部材である請求項１または請求項２に記載の浮き回収器。
【考案の詳細な説明】
【技術分野】
【０００１】
本考案は、ライン（釣り竿に繋がる釣り糸）から外れてしまった浮きを回収する浮き回収器を提供する技術に関する。
【背景技術】
【０００２】
従来の浮き回収器は、浮きを回収するための複数の棒状体が、放射状に突出するようにして基部へ固定されている。例えば、特許文献１、特許文献２、特許文献３などがある。
【０００３】
特許文献１の浮き回収器は、シャフトと、浮き回収部と、ロック手段と、を備える。シャフトは、投入側先端に錘体が装着され、他端側に釣糸接続部が形成される。浮き回収部は、シャフトの長手方向へ移動可能に取り付くスライド部材と、シャフトに沿ってスライド部材に軸着された複数本の骨材（棒状体に該当する）と、各骨材を釣糸接続部側へ一体的に放射状に展開し、且つ各骨材を一体的に畳む架渡し部材と、でなる。ロック手段は、浮き回収部の展開時および畳み時に前記の浮き回収部をシャフト上の一定位置に保持するものである。
【０００４】
特許文献２の浮き回収器は、浮き回収器の沈下速度が１ｃｍ〜３０ｃｍ／秒となるようにすることで、水に浮いた浮きだけでなく、例えば根掛りで水中に沈んだ状態で留まってしまう浮きも回収できるように工夫されている。
【０００５】
特許文献３の浮き回収器は、複数の棒状体による開きを表す回収口の開口形状を保持するために、口縁周囲部分に沿って閉鎖周回枠構造を備えている。その閉鎖周回枠構造とは、例えば金属製の細いワイヤ、紐、合成樹脂製の紐などの索条体で、複数の骨材の先端側を周回枠状に連結する構造である。
【先行技術文献】
【特許文献】
【０００６】
【特許文献１】特開２００１−２９２６７８号公報
【特許文献２】特開２００２−２７２３４０号公報
【特許文献３】実用新案登録第３１１８１５０号公報
【考案の概要】
【考案が解決しようとする課題】
【０００７】
特許文献１では、浮きを回収する際に、竿先から放たれた釣糸に釣糸接続部を接続し、釣竿の弾力を利用して浮き回収器を、回収すべき浮きの向こう側へ投げ込む。この時、浮き回収器は、骨材を畳んだ状態で投げ込まれる。錘体側が沈んで、浮き回収部側が水面に浮いた状態となる。釣糸を引き寄せると、水の抵抗や浮き回収器を引く力で複数の骨材が架渡し部材を介して釣糸接続部側へ一体的に放射状に展開する。スライド部材が釣糸接続部方向へスライドするので、ロック手段で浮き回収部がシャフト上に位置決めされる。放射状に展開した骨材に浮きを引っ掛けて手元へ引き寄せることになる。
【０００８】
この時、浮き回収器を引く力を強くすると、各骨材が長いために、水の抵抗で複数の骨材が大きく外へ開いてしまい、釣糸を引き寄せるリールの巻き抵抗は重くなる。しかも、回収すべき浮きが骨材からすり抜けてしまうこともあった。さらに、骨材が曲がったり、変形したりすることがある。
また、構造としては、シャフト、浮き回収部のスライド部材、ロック手段を備えるので、複雑であるためにコスト高となる。
【０００９】
特許文献２では、上述の特許文献１の場合と同様に、浮き回収器を引く力を強くすると、各骨材が長いために、水の抵抗で複数の骨材が大きく外へ開いてしまい、釣糸を引き寄せるリールの巻き抵抗は重くなる。しかも、骨材が開いているために回収すべき浮きがすり抜けてしまうこともあった。さらに、開いた際に水の抵抗を受けた骨材が曲がったり、変形したりすることがある。
【００１０】
特許文献３では、複数の棒状体の回収口の開口形状は、閉鎖周回枠構造における例えばワイヤなどの索条体によって、予め設定した大きさより開かないように保持されるので、浮きが棒状体からすり抜けることが防止される。その反面、各棒状体はワイヤなどの索条体の位置から外側へ突出する長さが短い。すなわち、浮きを引っ掛ける棒状体の長さが短いために、浮きの回収ができないことがあった。
【００１１】
本願考案が解決しようとする課題は、浮きを回収する際に複数の棒状体が開きすぎて水の抵抗が大きくなり、リールの巻き取り作業が困難とならないようにして、浮き回収の確実性を向上する浮き回収器を提供することにある。
【課題を解決するための手段】
【００１２】
（第一の考案）
本願における第一の考案は、基部(11)と、その基部(11)を中心として放射状に広がるように固定される複数の棒状体(12,12,・・・)と、前記の基部(11)から前記の棒状体(12,12,・・・)が広がる方向へ延設されるシャフト部(13)とを備え、そのシャフト部(13)における前記の基部(11)とは反対端へ釣糸係止部(14)を備えた浮き回収器(10)に係る。
前記の複数の棒状体(12,12,・・・)の周囲へ配置し、かつ、前記の複数の棒状体(12,12,・・・)または前記のシャフト部(13)のいずれか一方もしくは双方へ固定したリング部材(20)を備え、  前記の各棒状体(12,12,・・・)に対するリング部材(20)の固定位置は、棒状体(12,12,・・・)の長手方向に向けて移動可能である。
【００１３】
リング部材(20)が棒状体(12,12,・・・)に固定される場合、リング部材(20)がシャフト部(13)に固定される場合、リング部材(20)が棒状体(12,12,・・・)およびシャフト部(13)に固定される場合、のいずれをも含む。
【００１４】
(作用）
浮きを回収する際に、回収ラインである釣糸(30)に連結した浮き回収器(10)を、回収すべき浮きの向こう側へ投げ込む。釣糸(30)を引き寄せると、浮き回収器(10)を引く力と水の抵抗で、複数の棒状体(12,12,・・・)が放射状に開こうとする。複数の棒状体(12,12,・・・)は、リング部材(20)によって抑える力に抗して一時的に開くが、その開きはリング部材(20)によって抑えられて元に戻る。
その結果、浮きを引っ掛ける時に、複数の棒状体(12,12,・・・)が一時的に開くので、浮きを回収する確実性が向上する。しかも、複数の棒状体(12,12,・・・)の開きがリング部材(20)によって抑えられて元に戻るので、浮きが複数の棒状体(12,12,・・・)からすり抜けることが防止される。また、複数の棒状体(12,12,・・・)の開きが抑えられるので、リールにて釣糸(30)を引き寄せる時の抵抗が軽くなる。
リング部材(20)が、複数の棒状体(12,12,・・・)の長手方向において固定位置を移動可能であるので、水の流れなどの状況に応じて複数の棒状体(12,12,・・・)の開き具合を調整することができる。
【００１５】
(第一の考案のバリエーション１）
第一の考案は、以下のようなバリエーションを提供することもできる。
すなわち、  前記のリング部材(20)は、前記の複数の棒状体(12,12,・・・)のうちの２本以上に固定するための各棒状体(12,12,・・・)を挿入して固定可能なリング固定用孔部(21,21,・・・)を形成することが好ましい。
【００１６】
(作用）
リング固定用孔部(21,21,・・・)が各棒状体(12,12,・・・)を挿入して固定可能であるので、リング部材(20)は、複数の棒状体(12,12,・・・)の長手方向において固定位置を移動させることが容易である。
【００１７】
(第一の考案のバリエーション２）
第一の考案は、以下のようなバリエーションを提供することもできる。
すなわち、  前記のリング部材(20)は、弾性部材であることが好ましい。
【００１８】
(作用）
リング部材(20)が弾性部材であることで、浮きを引っ掛ける時に、複数の棒状体(12,12,・・・)は一時的によりいっそう大きく開くことになる。その結果、浮きを回収する確実性がよりいっそう向上する。
【考案の効果】
【００１９】
第一の考案によれば、浮きを回収する際に複数の棒状体が開きすぎて水の抵抗が大きくなり、リールの巻き取り作業が困難とならないようにして、浮きを回収する際に複数の棒状体が開きすぎないように防止し、浮き回収の確実性を向上する浮き回収器を提供することができた。
【図面の簡単な説明】
【００２０】
【図１】本考案の実施形態に係る浮き回収具を使用する状態を示す斜視図である。
【図２】本考案の実施形態に係る浮き回収具の組立斜視図である。
【図３】本考案の実施形態に係る浮き回収具を使用する状態を示す斜視図である。
【図４】本考案の実施形態に係る浮き回収具と従来品とを比較するための側面図である。
【図５】本考案の実施形態に係る浮き回収具を使用する状態を示す側面図である。
【図６】本考案における第二の実施形態に係る浮き回収具を示す斜視図である。
【図７】本考案における第三の実施形態に係る浮き回収具を示す組立斜視図である。
【図８】本考案における第四の実施形態に係る浮き回収具を示す組立斜視図である。
【考案を実施するための形態】
【００２１】
以下、本考案の実施形態に係る浮き回収器について図面を参照して説明する。ここで使用する図面は、図１から図８である。
【００２２】
図１から図５は、第一の実施形態を示す。図６は第二の実施形態、図７は第三の実施形態、図８は第四の実施形態を示す。
【００２３】
第一の実施形態に係る浮き回収器１０は、根掛りなどの何らかの事態によって切断した浮き３１を回収するためのものである。基本的には、浮き３１や釣糸３０を引っ掛けて回収するための複数の棒状体１２,１２,・・・を、基部１１へ放射状に取り付けて固定している。さらに、回収用ラインである釣糸３０を連結して引っ張るためのシャフト部１３を、複数の棒状体１２,１２,・・・のほぼ中心に位置するように前記の基部１１へ取り付けて固定している。
【００２４】
基部１１は、浮き回収器１０の先端部を構成するもので、本実施形態では略円錐形状をなしている。略円錐形状の後端側に、円周に沿って複数の棒状体１２,１２,・・・を放射状に固定するための複数の穴部を形成している。さらに、略円錐形状の後端側のほぼ中心に、シャフト部１３の先端を差し込んで固定するためのシャフト用穴部を形成している。シャフト部１３の後端は、回収用ラインである釣糸３０を結ぶための釣り糸係止部１４を備えている。
【００２５】
本実施形態では、２０本の棒状体１２を基部１１の穴部へ差し込んで接着剤で固定している。各棒状体１２の長さは約１７５ミリメートル、直径約２ミリメートルである。また、棒状体１２の材質は、本実施形態ではポリカーボネートを採用した。ポリエチレン、ポリ塩化ビニル等の合成樹脂、あるいはアルミ、チタンなどの金属、その他の材料を用いることができる。なお、棒状体１２の材質、形状、本数などは、特に限定されない。
また、固定手段も接着剤に限定されることはない。たとえば、棒状体１２の先端部分に雄ねじを、基部１１に雌ねじを設定しておいてネジ止めすることも可能である。
【００２６】
シャフト部１３は、釣糸３０を連結して浮き回収器１０を引っ張るための剛性を要する部材である。その材質は、ポリエチレン、ポリ塩化ビニル等の合成樹脂、あるいはアルミ、チタンなどの金属、その他の材料を用いることができる。本実施形態では、直径６ミリメートルで、長さ１７５ミリメートルで、本実施形態ではポリカーボネート製のシャフト部１３を、基部１１のシャフト用穴部へ差し込んで接着剤で固定している。なお、シャフト部１３の材質、形状などは、特に限定されない。
また、シャフト部１３の外側には、直径１７ｍｍで、長さ８７．５ｍｍの管状の浮力体１５を嵌め込んでいる。本実施形態では、浮力体１５は、発泡ＥＶＡを採用しているが、水中で浮力を有する材質であればよいので、特に限定されない。
【００２７】
浮き回収器１０は、本考案における特徴の主要部をなすリング部材２０を備えている。すなわち、リング部材２０は、複数の棒状体１２,１２,・・・の周囲を外側から囲むように配置し、複数の棒状体１２,１２,・・・のうちの２本以上に固定する。リング部材２０は、複数の棒状体１２,１２,・・・の開きを制限する力が作用することになる。しかも、リング部材２０における各棒状体１２,１２,・・・に対する固定位置は、棒状体１２,１２,・・・の長手方向に向けて移動させることが可能である。
【００２８】
本実施形態では、リング部材２０を２０本の棒状体１２,１２,・・・のうちの４本に移動可能に固定している。リング部材２０は、そのリング形状においてほぼ等間隔をあけて配置した４箇所に、棒状体１２,１２,・・・を挿入可能なリング固定用孔部２１,２１,・・・を形成している。リング固定用孔部２１は、棒状体１２を簡単に滑らない程度に通すほどの小さい径で形成することができる。すなわち、人が力を加えないと移動しない程度に棒状体１２に保持される構成である。
リング部材２０は、例えばゴムなどの弾性部材であることが望ましい。リング固定用孔部２１,２１,・・・は弾性部材による弾性力によって、リング部材２０を棒状体１２,１２,・・・に移動可能に固定することができる。
【００２９】
以下、本実施形態の浮き回収器１０における作用を説明する。
根掛りなどによって切断した浮き３１を回収する際に、前記の切断した釣糸３０が竿先から放たれているので、その釣糸３０を回収ラインとして用いてシャフト部１３の釣り糸系止部１４に結んで連結する。釣竿の弾力を利用して浮き回収器１０を、回収すべき浮き３１の向こう側へ投げ込む。浮き回収器１０は、シャフト部１３の浮力体１５によって、先端の基部１１が水中に沈むようにして水面にほぼ横になった状態で浮かぶ。
【００３０】
釣糸３０を引き寄せると、浮き回収器１０を引く力と水の抵抗で、複数の棒状体１２,１２,・・・が放射状に開こうとする。複数の棒状体１２,１２,・・・は、リング部材２０によって抑える力に抗して一時的に開くのであるが、その開きがリング部材２０によって抑えられて元に戻ることになる。
一方、図４（ｂ）、図５（ｂ）に示す従来品の場合、リング部材２０が存在しないので開きっぱなしになる時間が長く、浮き３１を引っ掛けることができたとしてもすり抜けやすくなってしまう。
【００３１】
したがって、浮き３１を引っ掛ける時に、複数の棒状体１２,１２,・・・が一時的に開くので、浮き３１を回収する確実性が向上する。しかも、複数の棒状体１２,１２,・・・の開きがリング部材２０によって抑えられて元に戻るので、浮き３１が複数の棒状体１２,１２,・・・からすり抜けることを防止できる。また、複数の棒状体１２,１２,・・・の開きが抑えられるので、リールにて釣糸３０を引き寄せる時の抵抗が軽くなる。
【００３２】
また、リング部材２０が、複数の棒状体１２,１２,・・・の長手方向に移動可能であるので、複数の棒状体１２,１２,・・・に対するリング部材２０の位置を移動して、水の流れなどの状況に応じて複数の棒状体１２,１２,・・・の開き具合を調整することができる。
【００３３】
リング部材２０が弾性部材であることで、浮き３１を引っ掛ける時に、釣り糸３０を強く引くことで複数の棒状体１２,１２,・・・が水の抵抗を受けて一時的によりいっそう大きく開くことになる。その結果、浮き３１を回収する確実性がよりいっそう向上する。
【００３４】
第二の実施形態を、図６に基づいて説明する。
この実施形態では、長いシャフト１３を採用し、浮力体１５には別の浮力体１５Ａを延設している。回収する浮き３１の種類や回収のための距離などに応じて、このようなタイプの浮き回収器を使う場合もある。
【００３５】
第三の実施形態を、図７に基づいて説明する。
この実施形態では、二重リング部材２０Ａを採用している。第一の実施形態にて採用していたリング部材２０におけるリング固定用孔部２１の代わりに、複数本の棒状体１２を組み入れる構造にて、所定位置への固定と、浮き３１の回収時における開き抑制を達成する。
なお、図示は省略するが、一本の棒状体１２を固定する円形孔と、複数本の棒状体１２を組み入れる長孔とを交互に配置するような形態を採用してもよい。
【００３６】
第四の実施形態を、図８に基づいて説明する。
この実施形態では、放射リング部材２０Ｂを採用している。第一の実施形態にて採用していたリング部材２０におけるリング固定用孔部２１の代わりに、シャフト部１３（浮力体部１５）へ固定するための中央リング部とその中央リング部から放射状に伸ばした放射部が複数本の棒状体１２の外側へ位置する外リングをつなぐ構造にて、所定位置への固定と、浮き３１の回収時における開き抑制を達成する。
【００３７】
図示は省略するが、リング部材は、放射リング形状と第一の実施形態とを組み合わせたような、シャフト部１３（浮力体部１５）および棒状体１２の両方へ固定部分（リング固定用孔部）を備えるようなものを提供してもよい。
【産業上の利用可能性】
【００３８】
本考案は、釣り具の製造業、販売業またはレンタル業、アウトドアスポーツのインストラクター事業などにおいて、利用可能性を有する。
【符号の説明】
【００３９】
１０；  浮き回収器                    １０Ａ；浮き回収具（従来品）
１１；  基部
１２；  棒状体
１３；  シャフト部                    １３Ａ；延長シャフト
１４；  釣り糸系止部
１５；  浮力体部
２０；  リング部材                    ２０Ａ；二重リング部材
２０Ｂ；放射リング部材
２１；  リング固定用孔部
３０；  釣糸                          ３１；  浮き
【図１】
0003195912.tif 000003
【図２】
0003195912.tif 000004
【図３】
0003195912.tif 000005
【図４】
0003195912.tif 000006
【図５】
0003195912.tif 000007
【図６】
0003195912.tif 000008
【図７】
0003195912.tif 000009
【図８】
0003195912.tif 000010